(57)【要約】  衛生用吸収性物品の側方フラップ(2)を供給するためのユニット(1)であって、第１の連続ストリップ(N1)の投入コンベヤ(3)と、切断アセンブリ(4)であって、側方フラップ(2)を保持すると共に受けドラム(5)上に半径方向に移動可能であるように取り付けられた第１の吸引ピックアップヘッド(7)を備える受けドラム(5)と、第１のストリップ(N1)を横方向に周期的に切断する少なくとも一つのブレード(6)とを備えた切断アセンブリ(4)と、受けドラム(5)の側方フラップ(2)を受け取る第２の吸引ピックアップヘッド(19)を備えた一対のスペーサードラム(18)を有するスペーサーアセンブリ(17)と、排出ステーション(S2)の領域において半径方向ピックアップ位置(PP)と半径方向リリース位置(PC)との間で各第１の吸引ピックアップヘッド(7)を半径方向にかつ周期的に移動させるアクチュエータシステム(8)とを有する供給ユニット(1)。
2019504740.tif 000002
【特許請求の範囲】
【請求項１】
衛生用吸収性物品の側方フラップ（２）を供給するためのユニット（１）であって、前記供給ユニット（１）は、
そこから前記側方フラップ（２）が分離させられる第１の連続ストリップ（Ｎ１）を搬送するための投入コンベヤ（３）と、
前記投入コンベヤ（３）の下流に配置された切断アセンブリ（４）であって、
受けドラム（５）であって、第１の回転軸線（Ｘ１）を中心に回転するように取り付けられ、投入ステーション（Ｓ１）において前記第１の連続ストリップ（Ｎ１）を受け取り、前記側方フラップ（２）を保持するように設計された第１の吸引ピックアップヘッド（７）を備える、受けドラム（５）と、
少なくとも一つのブレード（６）であって、前記側方フラップ（２）を前記第１の連続ストリップ（Ｎ１）自体から分離させるように、前記第１の連続ストリップ（Ｎ１）を横方向に周期的に切断するために、前記受けドラム（５）と協働する、少なくとも一つのブレード（６）と、を備える切断アセンブリ（４）と、
前記切断アセンブリ（４）の下流に配置されると共に一対のスペーサードラム（１８）を備えるスペーサーアセンブリ（１７）であって、前記スペーサードラム（１８）のそれぞれは、第２の回転軸線（Ｘ２）を中心として回転するように取り付けられ、前記側方フラップ（２）を保持するように設計された第２の吸引ピックアップヘッド（１９）を備え、他方のスペーサードラム（１８）の排出ステーション（Ｓ２）とは異なる、その排出ステーション（Ｓ２）において、受けドラム（５）自体から側方フラップ（２）を受け取るために、前記受けドラム（５）に近接して配置される、スペーサーアセンブリ（１７）と、
を具備し、
前記受けドラム（５）は、二つのスペーサードラム（１８）間で前記第１の連続ストリップ（Ｎ１）から切断された前記側方フラップ（２）を分配するように、側方フラップ（２）をスペーサードラム（１８）へと、そして後続の側方フラップ（２）を他方のスペーサードラム（１８）へと交互に供給し、
前記第１の吸引ピックアップヘッド（７）は、前記受けドラム（５）上に、半径方向に移動可能であるように取り付けられており、かつ、
各第１の吸引ピックアップヘッド（７）を、前記投入ステーション（Ｓ１）の領域における半径方向ピックアップ位置（ＰＰ）と、前記排出ステーション（Ｓ２）の領域において前記半径方向ピックアップ位置（ＰＰ）とは異なる半径方向リリース位置（ＰＣ）との間で、半径方向にかつ周期的に移動させるアクチュエータシステム（８）が設けられている、供給ユニット（１）。
【請求項２】
前記アクチュエータシステム（８）は、前記第１の吸引ピックアップヘッド（７）を各排出ステーション（Ｓ２）において対応する第２の吸引ピックアップヘッド（１９）と接触させるように、各第１の吸引ピックアップヘッド（７）を前記受けドラム（５）に対して半径方向に移動させる、請求項１に記載の供給ユニット。
【請求項３】
前記半径方向ピックアップ位置（ＰＰ）において、各第１の吸引ピックアップヘッド（７）は、前記リリース位置（ＰＣ）と比較して、前記第１の回転軸線（Ｘ１）の近くに配置される、請求項１または請求項２に記載の供給ユニット。
【請求項４】
前記半径方向ピックアップ位置（ＰＰ）の領域において、前記第１の吸引ピックアップヘッド（７）は第１のピッチを有し、一方、前記半径方向リリース位置（ＰＣ）の領域において、前記第１の吸引ピックアップヘッド（７）は、前記第１のピッチとは異なる第２のピッチを有する、請求項１ないし請求項３のいずれか１項に記載の供給ユニット。
【請求項５】
前記第２のピッチは前記第１のピッチよりも大きい、請求項４に記載の供給ユニット。
【請求項６】
前記第１の吸引ピックアップヘッド（７）は、専ら前記側方フラップ（２）をスペーサードラム（１８）へと放出する第１のグループ（１４）および専ら前記側方フラップ（２）を他方のスペーサードラム（１８）へと放出する第２のグループ（１５）へと分割され、
前記第１のグループ（１４）の前記第１の吸引ピックアップヘッド（７）は、前記第２のグループ（１５）の前記第１の吸引ピックアップヘッド（７）と交互に配置される、請求項１ないし請求項５のいずれか１項に記載の供給ユニット。
【請求項７】
各第１の吸引ピックアップヘッド（７）はサポートアーム（９）によって支持され、前記サポートアーム（９）は、半径方向に向けられ、かつ、前記受けドラム（５）の底壁（１１Ａ，１１Ｂ）の領域において前記第１の吸引ピックアップヘッド（７）の端部（１０）に配置される、請求項６に記載の供給ユニット。
【請求項８】
各サポートアーム（９）は、対応する第１の吸引ピックアップヘッド（７）と一体の外側端部（１２）と、前記アクチュエータシステム（８）に機械的に接続された内側端部（１３）と、を有する、請求項７に記載の供給ユニット。
【請求項９】
前記第１のグループ（１４）の前記第１の吸引ピックアップヘッド（７）の全ての前記サポートアーム（９）は、前記受けドラム（５）の前記第１の底壁（１１Ａ）の領域に配置され、かつ、前記第２のグループ（１５）の前記第１の吸引ピックアップヘッド（７）の全ての前記サポートアーム（９）は、前記第１の底壁（１１Ａ）と対向する前記受けドラム（５）の第２の底壁（１１Ｂ）の領域に配置される、請求項８に記載の供給ユニット。
【請求項１０】
前記側方フラップ（２）を成形しかつそれを張り付けるためのアセンブリ（２１）を備え、
前記アセンブリ（２１）は、
前記スペーサーアセンブリ（１７）の下流に配置され、
側方フラップ（２）の各対を形成し、
第３の回転軸線（Ｘ３）を中心に回転するように取り付けられた、側方フラップ（２）の対を形成するためのドラム（２２）と、第４の回転軸線（Ｘ４）の周りを回転するように取り付けられると共に前記側方フラップ（２）の対を吸収性材料の第２の連続ストリップ（Ｎ２）上に張り付ける張り付けドラム（２３）と、を具備する、請求項１ないし請求項９のいずれかに記載の供給ユニット。
【請求項１１】
請求項１ないし請求項１０のいずれか１項に記載の供給ユニット（１）のフォーマット変更のための方法であって、
前記前の切断アセンブリ（４）を新しい切断アセンブリ（４）と交換するステップであって、前記受けドラム（５）は、前記前の切断アセンブリ（４）の前記受けドラム（５）の直径とは異なる直径を有するステップと、
前記同じスペーサードラム（１８）を維持するステップと、
前記ピックアップ位置（ＰＰ）と前記リリース位置（ＰＣ）との間で前記第１の吸引ピックアップヘッド（７）の半径方向移動のストロークを変更するステップと
を備える、フォーマット変更方法。
【請求項１２】
前記ストロークの変更は、前記前の切断アセンブリ（４）の前記受けドラム（５）と、前記新しい切断アセンブリ（４）の前記受けドラム（５）との間の直径差の補償をもたらす、請求項１１に記載のフォーマット変更方法。
【発明の詳細な説明】
【技術分野】
【０００１】
本発明は、衛生用吸収性物品の側方フラップを供給するユニットと、当該供給ユニットのフォーマット変更のための方法に関する。
【背景技術】
【０００２】
知られているところによれば、おむつのような衛生用吸収性物品は、不透過性材料のシートを透過性材料のシート（不織布）に重ね合わせることによって、かつ、当該シート間に吸収パッドによって形成されたパッドを介在させることによって得られる。
【０００３】
乳児用おむつおよび成人用おむつの両方において、使用者のウエストラインの周りに、おむつの側方閉鎖フラップのような付属コンポーネントを提供することが普通である。一般に、側方閉鎖フラップは、吸収性材料の連続ストリップの所与のセクションに沿って張り付けられ、次いで当該セクションは単一のおむつへと分割される。
【０００４】
側方フラップの切断加工およびそれに続く吸収性材料の連続ストリップへのその張り付けは、側方フラップを供給するためのユニットによって行われる。例えば特許文献１および特許文献２に記載されているような公知のタイプの側方フラップを供給するユニットは、連続ストリップを供給するためのコンベアと、ストリップを単一の側方フラップへと切断する切断アセンブリと、同じ対の側方フラップの側方フラップを互いに離間させるスペーサーアセンブリと、側方フラップの対を形成して吸収性材料の連続ストリップにそれを張り付けるためのアセンブリとを備える。
【０００５】
得られる吸収性物品のタイプを変更することによって、側方フラップのサイズおよびフォーマットもまた変化することは明らかである。当然の結果として、側方フラップのサイズおよび／またはフォーマットを変更することにより、側方フラップを供給するためのユニットのアセンブリ全体を、吸収性物品の、そして張り付けられる側方フラップの新しいフォーマットに従って動作するのに適した別なアセンブリと交換する必要がある。言い換えれば、側方フラップを供給するための既知のユニットでは、フォーマット変更の間に、異なる直径のドラムを有する別の切断アセンブリとの切断アセンブリの交換が必要とされる。したがって、スペーサーアセンブリを、新しい切断アセンブリと動作するように適合された直径を有する別なスペーサーアセンブリと交換する必要があり、そして成形および張り付けアセンブリを、新しいスペーサーアセンブリと動作するように適合された直径を有する別な成形および張り付けアセンブリと交換する必要がある。
【０００６】
したがって、フォーマット変更は、側方フラップを供給するためのユニットの全てのアセンブリの交換を伴い、したがって非常に長くて複雑なプロセスになる。この点に関して、古いアセンブリの分解および側方フラップの供給のためのユニットの新しいアセンブリのその後の取り付けは、かなり面倒でありかつ専門技術者の関与を必要とするセットアップステップを必ず含むことに留意することが重要である。さらに、側方フラップを供給するためのユニットのアセンブリの交換はまた多額のコストを必要とする。なぜなら、各フォーマットについて、側方フラップを供給するためのユニットのアセンブリが、フォーマットに適したサイズを有していなければならず、しかも協調するアセンブリに適合していなければならないからである。
【先行技術文献】
【特許文献】
【０００７】
【特許文献１】国際公開第２０１４／０８７２９３号パンフレット
【特許文献２】国際公開第２０１３／０３５０６７号パンフレット
【発明の概要】
【発明が解決しようとする課題】
【０００８】
本発明の目的は、上述した欠点を持たず、同時に製造が簡単かつ安価に行える、衛生用吸収性物品の側方フラップを供給するためのユニットおよび当該供給ユニットのフォーマット変更のための方法を提供することである。
【課題を解決するための手段】
【０００９】
本発明によれば、特許請求の範囲に記載されている衛生用吸収性物品の側方フラップを供給するためのユニットおよび当該供給ユニットのフォーマット変更のための方法が提供される。
【００１０】
本発明を、非限定的な実施形態のいくつかの例を示す添付図面を参照して説明する。
【図面の簡単な説明】
【００１１】
【図１】本発明に従って製造された側方フラップを供給するためのユニットの概略正面図である。
【図２】図１の供給ユニットの切断アセンブリおよびスペーサーアセンブリの概略正面図である。
【図３】図２の切断アセンブリおよびスペーサーアセンブリの斜視図である。
【発明を実施するための形態】
【００１２】
図１において、参照数字１は、衛生用吸収性物品の側方フラップ２を供給するためのユニット全体を示している。供給ユニット１は、そこから側方フラップ２が分離される連続ストリップＮ１を供給経路Ｐ１に沿って搬送する投入コンベヤ３を備える。連続ストリップＮ１は、弾性材料または非弾性材料から作ることができる。連続ストリップＮ１は、次いで、切断アセンブリ４に供給されるが、その領域においては、単一の側方フラップ２が、対応する横方向切断によって分離され、適切に成形される。
【００１３】
切断アセンブリ４は、投入コンベヤ３の下流に配置され、回転軸線Ｘ１の周りを回転するように取り付けられた受けドラム５と、受けドラム５に隣接して配置されかつ受けドラム５自体と協働する切断ドラムによって支持された一対のブレード６とを備える。
【００１４】
したがって、図２に示すように、連続ストリップＮ１は、投入ステーションＳ１の領域で、受けドラム５に供給され、その後、それは、受けドラム５と協働して連続ストリップＮ１を横方向に周期的に切断するように配置されたブレード６によって、単一の側方フラップ２へと切断される。
【００１５】
受けドラム５の外側領域において、受けドラム５は複数の吸引ピックアップヘッド７を備えるが、これは、最初に連続ストリップＮ１を切断されるまで保持し、続いて連続ストリップＮ１から分離した単一の側方フラップ２を保持する。換言すれば、吸引ピックアップヘッド７は、切断中に連続ストリップＮ１を保持し、続いて切断された単一の側方フラップ２を保持するように構成される。
【００１６】
図２に示すように、吸引ピックアップヘッド７は、受けドラム５上に半径方向に移動可能に取り付けられている。特に、吸引ピックアップヘッド７は、アクチュエータシステム８によって、受けドラム５に対して半径方向に移動させられる。したがって、各吸引ピックアップヘッド７は、投入ステーションＳ１の領域における半径方向ピックアップ位置ＰＰと、排出ステーションＳ２の領域における、半径方向のピックアップ位置ＰＰとは異なる半径方向リリース位置ＰＣとの間で半径方向に、各吸引ピックアップヘッド７を周期的に移動させるアクチュエータシステム８によって動作させられる。
【００１７】
可能な実施形態によれば、アクチュエータシステム８はカムシステムを備える。すなわち、吸引ピックアップヘッド７の半径方向移動のための推力は、受けドラム５の内部に配置された固定カムによって発生させられる。代替実施形態によれば、アクチュエータシステム８は、受けドラム５に取り付けられ、吸引ピックアップヘッド７の半径方向移動のための推力を発生させる電気機械アクチュエータ（例えば回転電気モーターまたはリニア電気モーター）を備える。電気機械アクチュエータの使用は、アクチュエータシステム８の構造を複雑にし、制御ソフトウェアに作用するだけで（すなわちアクチュエータシステム８へのいかなる種類の物理的変化も伴わずに）吸引ピックアップヘッド７の半径方向ストロークを変更することができるという利点がある。
【００１８】
有利なことには、半径方向ピックアップ位置ＰＰにおいて、各吸引ピックアップヘッド７は、リリース位置ＰＣに対して回転軸線Ｘ１により近接して配置される。換言すれば、半径方向ピックアップ位置ＰＰの領域において、吸引ピックアップヘッド７は、リリース位置ＰＣに比べて半径方向の移動量が小さい。
【００１９】
有利なことには、各吸引ピックアップヘッド７は、半径方向に向けられると共に受けドラム５の底壁１１Ａの領域において吸引ピックアップヘッド７の一端部１０の領域に配置されたサポートアーム９によって支持される。特に、各サポートアーム９は、対応する吸引ピックアップヘッド７と一体の一つの外側端部１２と、アクチュエータシステム８に機械的に接続された内側端部１３とを有する。
【００２０】
特に、図２および図３に示すように、吸引ピックアップヘッド７は、搬送される側方フラップ２の向きに基づいて（すなわち側方フラップ２が右または左である場合）二つのグループ１４および１５に分割される。特に、グループ１４は、所定の向きを持つ側方フラップ２のみ（例えば全ての右側方フラップ２のみ）を搬送し、グループ１５は、反対の向きを持つ側方フラップ２のみ（例えば全ての左側方フラップ２のみ）を搬送する。図３に明確に示されるように、グループ１４の吸引ピックアップヘッド７は、グループ１５の吸引ピックアップヘッド７と交互に配置される。
【００２１】
好ましい実施形態によれば、グループ１４の吸引ピックアップヘッド７のための全てのサポートアーム９は、受けドラム５の底壁１１Ａの領域に配置され、そして第２のグループ１５の吸引ピックアップヘッド７の全てのサポートアーム９は、底壁１１Ａに対向する受けドラム５の底壁１１Ａの領域に配置される。換言すれば、サポートアーム９は、受けドラム５の底壁１１Ａおよび底壁１１Ｂの領域に交互に配置される。
【００２２】
図３に示すように、吸引ピックアップヘッド７は、外面の領域に、それを経て、連続ストリップＮ１（切断前）または切断された側方フラップ２（切断後）を保持するために真空が形成される吸引孔１６を有する。
【００２３】
図１に示すように、切断アセンブリ４によって作られた側方フラップ２は、その後、切断アセンブリ４の下流に配置されたスペーサーアセンブリ１７に供給される。スペーサーアセンブリ１７は、一対のスペーサードラム１８を備え、そのそれぞれは、回転軸線Ｘ２を中心に回転するように取り付けられている。スペーサードラム１８は、受けドラム５に近接して配置され、他方のスペーサードラム１８の排出ステーションＳ２とは異なり、それ自体の排出ステーションＳ２において、受けドラム５自体から側方フラップ２を受け取る。言い換えると、ドラム５は、側方フラップ２が各スペーサードラム１８に供給される領域に、互いに異なる二つの排出ステーションＳ２を備える。
【００２４】
各スペーサードラム１８には、単一の側方フラップ２を保持する複数の吸引ピックアップヘッド１９が設けられている。吸引ピックアップヘッド７と同様に、吸引ピックアップヘッド１９は、外面の領域に、切断された側方フラップ２を保持するためにそれを経て真空が形成される吸引孔２０を有する。吸引ピックアップヘッド１９は、径方向に固定されかつ軸方向に移動可能であるように構成される。言い換えれば、受けドラム５の吸引ピックアップヘッド７が径方向に移動可能であるように構成される一方で、各スペーサードラム１８の吸引ピックアップヘッド１９は放射状に固定されており（すなわち、それらは移動しない）、その代わりに軸方向に移動可能である。
【００２５】
図２にさらに良く示されているように、切断アセンブリ４から来る側方フラップ２は、二つの排出ステーションＳ２において各スペーサードラム１８に交互に供給される。換言すれば、グループ１４の吸引ピックアップヘッド７は、側方フラップ２のみを専用のスペーサードラム１８に専ら供給する。同様に、グループ１５の吸引ピックアップヘッド７は、側方フラップ２のみを、グループ１４専用のスペーサードラム１８に対向する、それ専用のスペーサードラム１８に専ら供給する。換言すれば、各スペーサードラム１８は、所定の向きを有する側方フラップ２（例えば、全ての左側方フラップ２のみまたは全ての右側方フラップ２のみ）を収容し搬送するように構成される。
【００２６】
有利なことに、二つのスペーサードラム１８は、供給ユニット１の構造を単純化するために等しい。
【００２７】
図１に示されているように、スペーサーアセンブリ１７ａの下流には、成形および張り付けアセンブリ２１が配置される。成形および張り付けアセンブリ２１は、回転軸線Ｘ３を中心に回転するように取り付けられた一対の側方フラップ２のための成形ドラム２２と、回転軸線Ｘ４を中心に回転可能に取り付けられた張り付けドラム２３とを備える。成形および張り付けアセンブリ２１の領域には、二対の側方フラップが形成され、これは続いて吸収性材料の連続ストリップＮ２上に張り付けられる。吸収性材料の連続ストリップＮ２は、供給ユニット１を通過する供給経路Ｐ２に沿って、メインコンベヤ２４によって搬送される。
【００２８】
製造されるフラップ２のフォーマット変更の間、切断アセンブリ４を交換することが必要である。有利なことには、スペーサーアセンブリ１７および成形および張り付けアセンブリ２１は交換されないままである。言い換えれば、製造される側方フラップ２のフォーマット変更の間、切断アセンブリ４のみが専ら交換されなければならない。新たなフォーマットに適合するために、新しい切断アセンブリ４は、前の切断アセンブリ４の受けドラム５と比較して異なる直径を有する受けドラム５を備える。前の受けドラム５に対する新しい受けドラム５の直径の差により、新しい受けドラム５はスペーサーアセンブリ１７のスペーサードラム１８と協働することができないであろう。（フォーマット変更の間は変化しない）スペーサードラム１８の直径に対して、前の受けドラム５と新しい受けドラム５との間の直径差を補償するために、吸引ピックアップヘッドの半径方向のストロークが適合させられる。換言すれば、アクチュエータシステム８は、図１および図３に示すように、各吸引ピックアップヘッド７を受けドラム５に対して半径方向に移動させ、吸引ピックアップヘッド７自体を、それぞれの排出ステーションＳ２において、対応する第２の吸引ピックアップヘッド１９に接触させる。分かりやすくするために、図２（これは切断アセンブリ４およびスペーサーアセンブリ１７の概略図である）においては、排出ステーションＳ２に配置された吸引ピックアップヘッド７は、実際には接触していても、それぞれの吸引ピックアップヘッド１９から離間した状態で図示されている。
【００２９】
新しい受けドラム５の直径が前の受けドラム５の直径と異なるので、受けドラム５と各スペーサードラム１８との間のアクスル間隔の変化に起因して、新しい切断アセンブリ４と（フォーマット変更中にスペーサードラム１８の直径の変更がない）スペーサーアセンブリ１７との間の不適合が生じる。これを回避するために、先に説明したように、その半径方向ストロークを容易に変化させることができるように、吸引ピックアップヘッド７は受けドラム５上に、半径方向に移動可能に取り付けられる。言い換えれば、半径方向に移動可能であるように取り付けられた吸引ピックアップヘッド７は、吸引ピックアップヘッド７の半径方向ストロークの対応する変化によって、アクスル間隔の変化を補償することができ、これによって、下流に配置された新しい切断アセンブリ４と（フォーマット変更中にスペーサードラム１８の直径の変更がない）スペーサーアセンブリ１７との適合を保証する。
【００３０】
使用時、供給ユニット１のフォーマット変更中、前の切断アセンブリ４が新しい切断アセンブリ４と交換され、スペーサーアセンブリ１７の同じスペーサードラム１８は維持され、半径方向ピックアップ位置ＰＰと半径方向リリース位置ＰＣとの間の吸引ピックアップヘッド７の半径方向移動のストロークが変更される。言い換えれば、フォーマット変更中、前の切断アセンブリ４が新しい切断アセンブリ４と交換され、同じスペーサーアセンブリ１７および同じ形成および張り付けアセンブリ２１は維持され、そして半径方向ピックアップ位置ＰＰと半径方向リリース位置ＰＣとの間の吸引ピックアップヘッド７の半径方向移動のストロークが変更される。このようにして、吸引ピックアップヘッド７のストロークの変化によって、前の切断アセンブリ４の受けドラム５と新しい切断アセンブリ４の受けドラム５との間の直径差の補償が提供される。さらに、このようにして、吸引ピックアップヘッド７は、投入ステーションＳ１（ここでは側方フラップ２は小さなピッチを有する）と排出ステーションＳ２（ここでは側方フラップ２はより大きなピッチを有する）との間で側方フラップ２のピッチを変化させることを可能とする。言い換えれば、吸引ピックアップヘッド７の半径方向の移動によって、（リリースステーションＳ２の領域における）半径方向リリース位置ＰＣのピッチとは異なる（投入ステーションＳ１の領域における）半径方向ピックアップ位置ＰＰのピッチを得ることができる。
【００３１】
したがって、半径方向ピックアップ位置ＰＰの領域では、吸引ピックアップヘッド７は、半径方向リリース位置ＰＣに比べて、より小さなピッチを有する。換言すれば、吸引ピックアップヘッド７の半径方向リリース位置ＰＣの領域におけるピッチは、半径方向ピックアップ位置ＰＰの領域における吸引ピックアップヘッド７それ自体のピッチよりも大きい。
【００３２】
上述した供給ユニット１は、いくつかの利点を有する。主に、フォーマット変更の間、供給ユニット１は切断アセンブリ４の交換を必要とするだけである。したがって、下流に配置されたアセンブリ、すなわちスペーサーアセンブリ１７および成形および張り付けアセンブリ２１は交換されずに適合させられるだけである。これにより、新しいフォーマットによって生じるセットアップ時間を短縮することができ、機械のダウンタイム全体が短縮される。
【００３３】
さらに、上述した供給ユニット１はまた、従来のタイプのカムシステム８を使用することによって、吸引ピックアップヘッド７の半径方向移動が簡単な方法で得られるので、製造が容易かつ安価に行える。
【符号の説明】
【００３４】
１  供給ユニット
２  側方フラップ
３  投入コンベヤ
４  切断アセンブリ
５  ドラム
６  ブレード
７  吸引ピックアップヘッド
８  カムシステム（アクチュエータシステム）
９  サポートアーム
１０  一端部
１１Ａ  第１の底壁
１１Ｂ  第２の底壁
１２  外側端部
１３  内側端部
１４  第１のグループ
１５  第２のグループ
１６  吸引孔
１７  スペーサーアセンブリ
１７ａ  スペーサーアセンブリ
１８  スペーサードラム
１９  吸引ピックアップヘッド
２０  吸引孔
２１  アセンブリ
２２  ドラム
２３  ドラム
２４  メインコンベヤ
【図１】
2019504740.tif 000003
【図２】
2019504740.tif 000004
【図３】
2019504740.tif 000005
【国際調査報告】
2019504740.tif 000006
2019504740.tif 000007
2019504740.tif 000008